(57)【要約】【課題】薄板状の記録媒体を記録媒体載置部に密着させる記録媒体保持部材であって、不適切な取扱を受けても変形を抑え、印刷品質を低下させることのない記録媒体保持部材を提供する。【解決手段】インクジェットプリンタの記録媒体搬送手段に設備される記録媒体保持部材であって、前記記録媒体保持部材に備えられた前記記録媒体の側端部を押さえるガイド部が前記インクジェットプリンタの印刷ヘッドの移動方向に略並行してバラストを備えることにより、不適切な取扱で記録媒体保持部材が変形したとしても、ガイド部はバラストの重量によって、記録媒体を記録媒体搬送手段における記録媒体載置部に密着させることができ、またガイド部が印刷ヘッドに干渉するのを防ぐことができる。【選択図】        図１
2011051297.tif 000002
【特許請求の範囲】
【請求項１】
インクジェットプリンタの記録媒体搬送手段に設備される記録媒体保持部材であって、
前記記録媒体搬送手段が有する記録媒体載置部との間でギャップを構成し、該ギャップで記録媒体の側端部を挟持するガイド部を備え、
前記ガイド部が前記インクジェットプリンタの印刷ヘッドの移動方向に略並行してバラストを備えること、
を特徴とする記録媒体保持部材。
【請求項２】
請求項１に記載の記録媒体保持部材であって、
前記記録媒体を前記記録媒体搬送手段に挿入する際の補助となる補助ガイド部を両端部に備えること、
を特徴とする記録媒体保持部材。
【請求項３】
シャトル式の印刷ヘッドを備えたインクジェットプリンタであって、
記録媒体を搬送するための記録媒体搬送手段が有する記録媒体載置部との間でギャップを構成し、該ギャップで前記記録媒体の側端部を挟持するガイド部を備え、
前記ガイド部が前記インクジェットプリンタの印刷ヘッドの移動方向に略並行してバラストを備えた記録媒体保持部材を二本以上設備すること、
を特徴とするインクジェットプリンタ。
【発明の詳細な説明】
【技術分野】
【０００１】
段ボール紙や発砲スチロール板などの薄板状の記録媒体に印刷を行なう際に使用する記録媒体保持部材、および該記録媒体保持部材を使用したインクジェットプリンタに関する。
【背景技術】
【０００２】
インクジェットプリンタにおいて、インクを吐出する印刷ヘッドと印刷対象となる記録媒体間の距離は高品質の印刷を行なう場合小さくする必要がある。
それは、段ボール紙や発砲スチロール板などの薄板状の記録媒体に印刷を行なう場合でも同様であり、そのために記録媒体を印刷ヘッドが往復動作する位置まで搬送する記録媒体搬送部にローラを設けて記録媒体を押圧する技術や、記録媒体搬送部において記録媒体を載置する部分に多数のエア吸引口を穿設して記録媒体を密着させるなどの技術が周知である。
【０００３】
すなわち、薄板状の記録媒体は、周囲の環境や製造時の影響によって、記録媒体が反り上がるなどの変形をすることが多いので、インクを吐出する印刷ヘッドと記録媒体との距離の変化によって印刷ズレが生じたりするのを防止するため、また、記録媒体の変形による印刷ヘッドと記録媒体の幅方向端部との接触を防止するため、印刷時に記録媒体載置部に記録媒体を密着させる必要がある。
【０００４】
しかし、ローラによって記録媒体を押圧する場合は、ローラから離れた後は記録媒体の変形を防止することができない。また、エアによる吸引では、記録媒体が薄板状なので柔軟性に欠けるために、記録媒体載置部に密着させることができないことがある。
また、前述のように、印刷ヘッドと記録媒体との間の距離はできる限り狭くすべきであることから、印刷ヘッドによって印刷が行なわれる記録媒体付近にある程度のサイズが必要な押圧ローラを備えることは技術的に困難であることから、記録媒体を記録媒体載置部に密着させるため、印刷ヘッドと記録媒体との間に収まる記録媒体保持部材を印刷時に使用する技術が存在する。
【先行技術文献】
【特許文献】
【０００５】
【特許文献１】特開２００４−２３０８３９
【発明の概要】
【発明が解決しようとする課題】
【０００６】
特許文献１に記載の発明は、記録ヘッドとプラテンとの間を搬送される記録紙の幅方向端部の浮き上がりを押さえるインクジェットプリンタの記録紙押さえ構造において、前記プラテンの表面に穿設された多数の吸引口のうちの任意の吸引口に対して記録紙押さえ部材を着脱可能に取り付けたことを特徴としており、記録紙を損傷することなく取り付けが容易な記録紙押さえ構造を実現している。
【０００７】
しかし、記録媒体の反りを矯正するために必要な力は、記録媒体の厚みや反り量に応じて変化するため、記録媒体のみを搬送する構造の記録媒体搬送部では、記録媒体を押さえ込むような上記の記録紙押さえ部材を使用した場合、必要以上の力で記録媒体が押さえ込まれることがあるため、抵抗が生じ、搬送精度が低下するという問題があった。
【０００８】
また、このような記録紙押さえ部材は、外付けの部品であるためか、インクジェットプリンタの他の部品とは異なり、手荒く扱われることが多い。そのために取扱によって変形してしまい、所与の目的を果たせなくなるばかりか、場合によっては印刷ヘッドの往復移動に干渉して印刷に失敗する外、該印刷ヘッドの故障の原因にもなるという問題があった。
【０００９】
そこで、本発明は、薄板状の記録媒体を記録媒体載置部に密着させる記録媒体保持部材であって、必要最小限の荷重をかけることで記録媒体を記録媒体載置部に密着させ、不適切な取扱を受けても変形を抑え、印刷品質を低下させることのない記録媒体保持部材を提供すること、および該記録媒体保持部材を使用したインクジェットプリンタを提供すること、を目的とする。
【課題を解決するための手段】
【００１０】
かかる課題を解決する為に、請求項１に係る発明は、インクジェットプリンタの記録媒体搬送手段に設備される記録媒体保持部材であって、前記記録媒体搬送手段が有する記録媒体載置部との間でギャップを構成し、該ギャップで記録媒体の側端部を挟持するガイド部を備え、前記ガイド部が前記インクジェットプリンタの印刷ヘッドの移動方向に略並行してバラストを備えること、を特徴としている。
【００１１】
また、請求項２に係わる発明は、請求項１に記載の記録媒体保持部材であって、前記記録媒体を前記記録媒体搬送手段に挿入する際の補助となる補助ガイド部を両端部に備えること、を特徴としている。
【００１２】
請求項３に係わる発明は、シャトル式の印刷ヘッドを備えたインクジェットプリンタであって、記録媒体を搬送するための記録媒体搬送手段が有する記録媒体載置部との間でギャップを構成し、該ギャップで前記記録媒体の側端部を挟持するガイド部を備え、前記ガイド部が前記インクジェットプリンタの印刷ヘッドの移動方向に略並行してバラストを備えた記録媒体保持部材を二本以上設備すること、を特徴としている。
【発明の効果】
【００１３】
請求項１に記載の記録媒体保持部材は、薄板状の記録媒体の反りを押さえるため、記録媒体載置部との間にギャップを構成して記録媒体の側端部を挟持するガイド部を備えており、このガイド部はインクジェットプリンタの印刷ヘッドの移動方向に略並行してバラストを備えている。
【００１４】
従って、記録媒体を記録媒体載置部に密着させるに際してギャップを介して行なうため、直接的にバラストの重量が記録媒体に荷重されることはなく、必要最小限の力で記録媒体が保持されることで印刷品質を低下させることはない。
【００１５】
また、不適切な取扱で記録媒体保持部材が変形したとしても、ガイド部はバラストの重量によって、記録媒体を記録媒体搬送手段における記録媒体載置部に密着させることができ、またガイド部が印刷ヘッドに干渉するのを防ぐことができる。
【００１６】
請求項２に記載の記録媒体保持部材は、ガイド部とは別に、記録媒体を記録媒体搬送手段に挿入する際の補助となる補助ガイド部を両端部に備えているので、薄板状の記録媒体を記録媒体搬送手段が備える記録媒体載置部へ載置する際の記録媒体の変形を押さえることができるので、より確実に記録媒体を記録媒体載置部へ密着させることができる。
【００１７】
請求項３に記載のインクジェットプリンタは、シャトル式の印刷ヘッドを備えたインクジェットプリンタが、記録媒体を搬送するための記録媒体搬送手段が有する記録媒体載置部との間でギャップを構成し、該ギャップで前記記録媒体の側端部を挟持するガイド部を備え、前記ガイド部が前記インクジェットプリンタの印刷ヘッドの移動方向に略並行してバラストを備えた記録媒体保持部材を二本以上設備することにより、該記録媒体保持部材に挟まれた薄板状の記録媒体の反りを押さえることで記録媒体搬送手段の記録媒体載置部に密着させることができる。
【００１８】
また、記録媒体を記録媒体載置部に密着させるに際してギャップを介して行なうため、直接的にバラストの重量が記録媒体に荷重されることはなく、必要最小限の力で記録媒体が保持されることで印刷品質を低下させることはない。
【００１９】
加えて、記録媒体保持部材のガイド部にはインクジェットプリンタの印刷ヘッドの移動方向に略並行してバラストを備えているので、不適切な取扱で記録媒体保持部材が変形したとしても、ガイド部はバラストの重量によって、記録媒体を記録媒体搬送手段における記録媒体載置部に密着させることができ、またガイド部が印刷ヘッドに干渉するのを防ぐことができる。
【図面の簡単な説明】
【００２０】
【図１】本発明に係わる記録媒体保持部材１の構成を説明するための図である。
【図２】ガイド部１０の構造を説明するための、記録媒体保持部材１の断面図である。
【図３】補助ガイド部１４の構造を説明するための、記録媒体保持部材１の断面図である。
【図４】図１に記載の記録媒体保持部材１を備えたインクジェットプリンタ１００の外観を説明するための図である。
【図５】インクジェットプリンタ１００において印刷を行なう印刷部５に関連する模式図である。
【図６】インクジェットプリンタ１００において印刷を行なう印刷部５に関連する別の模式図である。
【図７】ガイド部１０に対して変更を行なったガイド部１０'を備えた記録媒体保持部材１'の断面図である。
【図８】記録媒体保持部材１'を設備したインクジェットプリンタ１００の印刷部５の模式図である。
【発明を実施するための形態】
【００２１】
以下、図面を利用しながら、本発明を実施形態について、説明を行なう。
【００２２】
〈第１の実施形態〉
図1は、本発明に係わる記録媒体保持部材１の構成を説明するための図である。
【００２３】
記録媒体保持部材１は、ガイド部１０、支持部１１、固定部１３、補助ガイド部１４により構成されている。この記録媒体保持部材１の全体の長さは、後述するインクジェットプリンタの記録媒体搬送部の搬送方向サイズに略等しい長さが望ましい。また、記録媒体保持部材１は、ステンレス材、鋼材、合成樹脂材、あるいはこれらの組合せによって、後述するバラスト１２を備えたガイド部１０による記録媒体の密着を実現するため、所定の弾性を有する構造を有することが望ましい。
【００２４】
ガイド部１０は、薄板状の記録媒体を記録媒体搬送部が有する記録媒体載置部に密着させるための構成である。ガイド部１０は、記録媒体が浮き上がらないように保持するため、略Ｚ字状の構造を有している（詳細は後述する）。
【００２５】
また、ガイド部１０は、記録媒体に対する印刷の品質低下を防止するためのものであることから、後述するインクジェットプリンタの印刷ヘッドが印刷時に通過する通過経路付近に備えられる。図１に示す記録媒体保持部材１の場合、該記録媒体保持部材１の略中央に備えられている。
【００２６】
ガイド部１０は、バラスト１２を備えている。記録媒体保持部材１が手荒な取扱を受けた結果変形したとしても、記録媒体保持部材１が使用可能な程度の変形ならば、バラスト１２の重量により、ガイド部１０によって記録媒体を記録媒体載置部に確実に密着させることができる。そのため、バラスト１２の重量は、ガイド部１０が記録媒体を記録媒体載置部に密着させるに足るだけの重量が必要であり、たとえば600g程あることが望ましい。
【００２７】
バラスト１２はガイド部１０において、インクジェットプリンタの印刷ヘッドの移動方向に略並行するように備えられる。これにより、バラスト１２と印刷ヘッドとが干渉することがない。
【００２８】
支持部１１は板状の構成であり、ガイド部１０、固定部１３、補助ガイド部１４を支持している。図１に示した記録媒体保持部材１では、ガイド部１０が支持部１１の略中央に備えられており、支持部１１の両端部に補助ガイド部１４と固定部１３とが備えられている。
【００２９】
固定部１３は、後述するインクジェットプリンタの記録媒体搬送手段に、記録媒体保持部材１を設備する際に使用する。記録媒体搬送手段は所定の位置に記録媒体保持部材１を設備するための設備部を有しているので、固定部１３を該設備部に装着することで、インクジェットプリンタが記録媒体保持部材１を設備することになる。
【００３０】
ここでは、固定部１３は、記録媒体搬送手段に設備するに際して、固定部１３がネジ孔を備えており、図示しない記録媒体搬送手段の設備部がネジを備えることによる螺子止めで、設備されるものとする。設備の手法としては、他にボルトなどによる設備、あるいはバネフックを使用した弾性体による設備など、適切な手法を選択することができる。
【００３１】
補助ガイド部１４は、ガイド部１０と同様に、記録媒体搬送手段が有する記録媒体載置部に記録媒体を密着させるためのものであり、やはりガイド部１０同様に略Ｚ字状の構造を備えている（詳細は後述する）。
【００３２】
補助ガイド部１４は、特に記録媒体載置部に記録媒体を載置する際に、記録媒体の変形を押さえ込んで記録媒体を密着させるためのものである。記録媒体に反りが生じている場合、その反りが記録媒体載置部に該記録媒体を載置する際の障害となることがあり、また、ガイド部１０によって印刷に関わる領域については記録媒体が密着されていたとしても、他の部分が密着していないために載置された記録媒体の位置がずれることがある。補助ガイド部１４は、そのような問題を防止するためのものであり、記録媒体搬送手段による記録媒体の搬送に際して、該記録媒体全体を記録媒体載置部に密着させるために、記録媒体保持部材１の両端部に備えられる。
【００３３】
なお、ガイド部１０、補助ガイド部１４は、図示しているように支持部１１方向にテーパーが設けられることが望ましい。このテーパーは、記録媒体に反りがあったとしても記録媒体保持部材１が該記録媒体をスムーズに保持するための構成である。
【００３４】
また、図１に示した記録媒体保持部材１は、インクジェットプリンタの記録媒体搬送部の一方に設備されるものを図示している。もう一方に設備される記録媒体保持部材は、図１に示した記録媒体保持部材１と同様の構成を左右反転して備える。
【００３５】
図２は、ガイド部１０の構造を説明するための、記録媒体保持部材１の断面図である。図示しているように、ガイド部１０と支持部１１とが溶接、接着、あるいは螺合などの手段で連結されており、さらにガイド部１０上部にバラスト１２が溶接、接着、あるいは螺合などの手段で連結されている。
【００３６】
ガイド部１０は、前述のとおり、略Ｚ字状の構造であり、支持部１１とガイド部１０の接合面によって形成される記録媒体保持面Ｙと、ガイド部１０の下面によって形成される記録媒体保持面ＸとによってギャップGが生じている。ギャップGの間に記録媒体が配置され、記録媒体保持面ＹおよびＸに接することにより、ガイド部１０は該記録媒体を記録媒体載置部へ密着させる。
【００３７】
ギャップGは、印刷を行なう記録媒体の厚さに応じたギャップ長を有することが望ましい。記録媒体の厚さに応じて、ギャップGのギャップ長のそれぞれ異なる記録媒体保持部材１を用意しておくことで、インクジェットプリンタにおける薄板状記録媒体印刷の品質を落とすことなく行なうことができる。
【００３８】
あるいは、螺合によってガイド部１０と支持部１１とが連結されている場合、螺合の調整を行なうことで、キャップGのギャップ長を変更するようにしてもよい。
【００３９】
図３は、補助ガイド部１４の構造を説明するための、記録媒体保持部材１の断面図である。図示しているように、補助ガイド部１４と支持部１１とが溶接、接着、あるいは螺合などの手段で連結されている。補助ガイド部１４は、ガイド部１０とは異なり、バラスト１２のような構成を有していない。これは、補助ガイド部１４は印刷ヘッドの通過経路付近に備えられていないので、印刷品質に直接影響を与えないためである。
【００４０】
補助ガイド部１４もまた、前述のとおり、略Ｚ字状の構造であり、支持部１１と補助ガイド部１４の接合面によって形成される記録媒体保持面ｙと、補助ガイド部１４の下面によって形成される記録媒体保持面ｘとによって、ギャップG'が生じている。ギャップG'の間に記録媒体が配置され、記録媒体保持面ｙおよびｘに接することにより、補助ガイド部１４は記録媒体載置部への記録媒体挿入時に該記録媒体を密着させるための補助を行なう。
【００４１】
ギャップG'は、ガイド部１０のギャップGよりも長いギャップ長を有することが望ましい。これは、補助ガイド部１４の目的が記録媒体を記録媒体載置部へ密着させることではなく、記録媒体を記録媒体載置部へ密着させる補助を行なうためである。
【００４２】
図４は、図１に記載の記録媒体保持部材１を備えたインクジェットプリンタ１００の外観を説明するための図である。図示しているように、インクジェットプリンタ１００は、記録媒体保持部材１、記録媒体搬送部２、記録媒体載置ベルト３、記録媒体保持部材固定部４を備えている。
【００４３】
記録媒体保持部材１は、記録媒体保持部材固定部４によって記録媒体搬送部２に設備され、記録媒体載置ベルト３に載置された記録媒体を該記録媒体載置ベルト３に密着するように保持する。
【００４４】
記録媒体保持部材１の構成については、既に説明を行なっているので、ここでの説明は省略する。
【００４５】
記録媒体搬送部２は、インクジェットプリンタ１００内部に備えられた図示しない印刷部に、記録媒体載置ベルト３に載置された記録媒体を搬送する。記録媒体搬送部２は、記録媒体を挿入する方向、および記録媒体を排出する方向、それぞれに駆動ローラを備えており、後述する記録媒体載置ベルト３を駆動することで、記録媒体を搬送する。
【００４６】
記録媒体載置ベルト３は記録媒体を載置するための所定幅を有する無限軌道状のベルトである。なお、記録媒体載置ベルト３には、多数の吸引口が設けられており、インクジェットプリンタ１００の図示しない印刷部に備えられたエア吸引機構が動作することにより、吸引口を介して吸引された記録媒体を記録媒体載置ベルト３に密着することができる。このエア吸引機構は薄膜状の記録媒体載置時に特に有効であるが、薄板状の記録媒体載置時にも、記録媒体保持の一環として使用することができる。
【００４７】
記録媒体保持部材固定部４は、記録媒体保持部材１を記録媒体搬送部２に設備する。記録媒体保持部材固定部４に記録媒体保持部材１を螺子止めすることで、記録媒体保持部材１が固定される。
【００４８】
また、記録媒体保持部材固定部４は、記録媒体を記録媒体載置テーブル３に密着させるために、少なくとも一対の記録媒体保持部材１を固定する。
【００４９】
図５は、インクジェットプリンタ１００において印刷を行なう印刷部５に関連する模式図である。
【００５０】
印刷部５は、インクジェットプリンタ１００の内部に、図示しているように記録媒体載置ベルト３の上部に略直交方向に交差するように備えられている。
【００５１】
印刷部５は、印刷ヘッドIHとレールRとを有する。印刷ヘッドIHは、インクを吐出するインクジェットヘッド（図示せず）を備えており、図示しない制御部からの指示によって記録媒体Mに対してインクを吐出することにより、印刷を行なう。レールRは、印刷ヘッドIHの駆動部でもあり、ボールネジ、リニアモータ、ラック＆ピニオン方式などで構成することができる。
【００５２】
印刷ヘッドIHがレールRに沿って移動するに際して、インクを吐出することにより、記録媒体Mに対する主走査方向の印刷が行なわれる。
【００５３】
一方、記録媒体載置ベルト３が、記録媒体搬送部２によってステップ・バイ・ステップ送りが行なわれ、記録媒体載置ベルト３上に載置した記録媒体Mが図５に示された矢印方向に印刷部５の下部を通過することにより、記録媒体Mに対する副走査方向の印刷が行なわれる。
【００５４】
記録媒体保持部材固定部４は、記録媒体載置ベルト３の記録媒体挿入側および記録媒体排出側に張り出すような構成を取ることによって、記録媒体保持部材１を固定する。なお、記録媒体保持部材固定部４は、スクイーズローラを備えることにより、記録媒体Mを記録媒体載置ベルト３に密着させる補助を行なうようにしてもよい。
【００５５】
記録媒体保持部材１は、記録媒体保持部材固定部４によって、記録媒体載置ベルト３に対して略並行に、一対設備される。記録媒体保持部材固定部４による、一対の記録媒体保持部材１の配置幅を記録媒体Mの主走査方向における幅よりわずかに広くすることで、記録媒体Mの搬送をスムーズに行なうことができる。
【００５６】
記録媒体保持部材１は、記録媒体載置ベルト３の記録媒体挿入側および記録媒体排出側に補助ガイド部１４を備えることにより、記録媒体Mを記録媒体載置ベルト３に載置する際に、記録媒体Mに反りが生じていたとしても、補助ガイド部１４を通すことで、記録媒体Mの端部が反り返ることなく、記録媒体Mの載置をスムーズに行なうことができる。
【００５７】
そして、記録媒体保持部材１が印刷部５と交差するような位置にガイド部１０を備えることにより、印刷ヘッドIHが上部を通過する位置で搬送されて来た記録媒体Mが記録媒体載置ベルト３に密着されるので、記録媒体Mに対する反りによる印刷品質の低下を防止することができる。
【００５８】
特に、記録媒体保持部材１のガイド部１０にバラスト１２が備えられていることにより、記録媒体保持部材１の取扱が悪くて多少変形したとしても、バラスト１２の重量によってガイド部１０は確実に記録媒体Mを記録媒体載置ベルト３に密着させることができる。
【００５９】
また、バラスト１２は印刷ヘッドIHの移動方向に略並行にガイド部１０に取り付けられていることから、バラスト１２の重量によって、記録媒体保持部材１の取扱が悪くて多少変形したとしても、ガイド部１０が印刷ヘッドIHの移動に干渉することはない。
【００６０】
〈第２の実施形態〉
図６は、インクジェットプリンタ１００において印刷を行なう印刷部５に関連する別の模式図である。図示しているように、インクジェットプリンタ１００の記録媒体搬送部２は、４本の記録媒体保持部材１を設備している。
【００６１】
一対の記録媒体保持部材１によって１枚の記録媒体Mを記録媒体載置ベルト３に密着させることができるので、図６に示した構成では、二対の記録媒体保持部材１によって２枚の記録媒体保持部材M1、M2を記録媒体載置ベルト３に密着させることができるため、記録媒体M1、M2の反りによる印刷品質の低下を抑制するとともに、インクジェットプリンタ１００における印刷効率を向上することが可能となる。
【００６２】
〈変形例〉
図７は、ガイド部１０に対して変更を行なったガイド部１０'を備えた記録媒体保持部材１'の断面図である。図示しているように、ガイド部１０'は、支持部１１に支持され、バラスト１２を備えているという点についてはガイド部１０と同様であるが、ガイド部１０'は支持部１１の両側に張り出して略Ｔ字状の構成を有している点で、ガイド部１０とは異なっている。
【００６３】
ガイド部１０'は、支持部１１とガイド部１０'の接合面によって形成される一方の記録媒体保持面Ｙ１と、ガイド部１０の下面によって形成される記録媒体保持面Ｘ１とによってギャップG1が生じており、もう一方の記録媒体保持面Ｙ２と、ガイド部１０'の下面によって形成される記録媒体保持面Ｘ２とによってギャップG2が生じている。
【００６４】
ギャップG1、G2の間にそれぞれ記録媒体が配置され、該記録媒体の端部がそれぞれ記録媒体保持面Ｙ１、Ｙ２およびＸ１、Ｘ２に接することにより、ガイド部１０'は２枚の記録媒体を記録媒体載置部へ密着させる。
【００６５】
図８は、記録媒体保持部材１'を設備したインクジェットプリンタ１００の印刷部５の模式図である。図示しているように、インクジェットプリンタ１００の記録媒体搬送部２は、３本の記録媒体保持部材１'を設備している。
【００６６】
図８に示した構成では、３本の記録媒体保持部材１'によって２枚の記録媒体保持部材M3、M4を記録媒体載置ベルト３に密着させることができるため、記録媒体Mの反りによる印刷品質の低下を抑制するとともに、インクジェットプリンタ１００における印刷効率を向上することが可能となる。
【００６７】
なお、インクジェットプリンタ１００において、記録媒体保持部材１と記録媒体保持部材１'とを設備するようにしてもよい。その場合、記録媒体保持部材１を両端に、記録媒体保持部材１'を略中央部に設備することにより、図８に示したインクジェットプリンタ１００同様、２本の記録媒体保持部材１と１本の記録媒体保持部材１'によって２枚の記録媒体保持部材M3、M4を記録媒体載置ベルト３に密着させることができるため、記録媒体Mの反りによる印刷品質の低下を抑制するとともに、インクジェットプリンタ１００における印刷効率を向上することが可能となる。
【００６８】
あるいは、記録媒体保持部材１と記録媒体保持部材１'との設備間隔を不等間隔にすることで、サイズの異なる記録媒体M3、M4を搬送するようにしてもよい。
【符号の説明】
【００６９】
１、１'  記録媒体保持部材
２  記録媒体搬送部
３  記録媒体載置ベルト
４  記録媒体保持部材固定部
５  印刷部
１０、１０'  ガイド部
１１  支持部
１２  バラスト
１３  固定部
１４  補助ガイド部
１００  インクジェットプリンタ
IH  印刷ヘッド
M、M1、M2、M3、M4  記録媒体
R  レール
【図１】
2011051297.tif 000003
【図２】
2011051297.tif 000004
【図３】
2011051297.tif 000005
【図４】
2011051297.tif 000006
【図５】
2011051297.tif 000007
【図６】
2011051297.tif 000008
【図７】
2011051297.tif 000009
【図８】
2011051297.tif 000010